(57)【要約】【課題】机のレイアウトを迅速かつ合理的に設定可能とする。【解決手段】机のレイアウト方法は、一対の通路形成用線分５２、５２が正方形枠線５１の一方の対角にそれぞれ設定され、四枚の天板１１がこの両通路形成用線分５２、５２同士を結ぶ対角線５３および他方の対角線５４にそれぞれ対称形に配置されたモジュール５０を設定するステップＳ２と、複数のモジュール５０がオフィスのフロアに対応してマトリックス状に配列されたワークシート６０を設定するステップＳ１と、ワークシート６０においてマトリックス状に整列した各モジュール５０における天板１１を選択するステップＳ５と、オフィスレイアウトの決定後に、ワークシート６０や机レイアウトワークシート７０およびオフィスレイアウトパース８０を記録するステップＳ１０とを備えている。【選択図】図３
2005152524.tif 000002
【特許請求の範囲】
【請求項１】
一対の通路形成用線分が正方形の一方の対角にそれぞれ設定され、四枚の天板がこの両通路形成用線分同士を結ぶ対角線および他方の対角線にそれぞれ対称形に配置されたモジュールを設定するステップと、
複数の前記モジュールがオフィスのフロアに対応してマトリックス状に配列されたワークシートを設定するステップと、
前記ワークシートにおいてマトリックス状に整列した各モジュールにおける前記天板を選択するステップと、
を備えていることを特徴とする机のレイアウト方法。
【請求項２】
前記天板の長手方向に延在する中心線が１３５度に屈曲しており、前記天板の両端辺が前記中心線にそれぞれ直交していることを特徴とする請求項１に記載の机のレイアウト方法。
【請求項３】
前記ワークシートがディスプレイに表示され、前記机の選択がこのディスプレイ上の前記天板を指示して実行されることを特徴とする請求項１または２に記載の机のレイアウト方法。
【請求項４】
前記机の選択が通信回線を通じて遠隔的に実行されることを特徴とする請求項１、２または３に記載の机のレイアウト方法。
【請求項５】
前記ワークシートが紙面上に表示され、前記机の選択がこの紙面上の前記天板にマークを付して実行されることを特徴とする請求項１または２に記載の机のレイアウト方法。
【請求項６】
一対の通路形成用線分が正方形の一方の対角にそれぞれ設定され、四枚の天板がこの両通路形成用線分同士を結ぶ対角線および他方の対角線にそれぞれ対称形に配置されたモジュールを設定する設定部と、
複数の前記モジュールがオフィスのフロアに対応してマトリックス状に配列されたワークシートを設定する設定部と、
前記ワークシートにおいてマトリックス状に整列した各モジュールにおける前記天板を選択する設定部と、
を備えていることを特徴とする机のレイアウトシステム。
【請求項７】
オフィスレイアウト業者がオフィス入居者からレイアウト対象平面図を受注するステップと、
前記オフィスレイアウト業者がレイアウト対象フロアを前記レイアウト対象平面図によって設定するステップと、
一対の通路形成用線分が正方形の一方の対角にそれぞれ設定され、四枚の天板がこの両通路形成用線分同士を結ぶ対角線および他方の対角線にそれぞれ対称形に配置されたモジュールを、前記オフィスレイアウト業者が設定するステップと、
複数の前記モジュールが前記レイアウト対象フロアにマトリックス状に配列されたワークシートを、前記オフィスレイアウト業者が設定するステップと、
前記オフィスレイアウト業者が前記ワークシートを前記オフィス入居者に送るステップと、
前記オフィス入居者および前記オフィスレイアウト業者が前記ワークシートをコンピュータのディスプレイにそれぞれ表示するステップと、
前記オフィス入居者および／または前記オフィスレイアウト業者が前記ディスプレイに表示されたワークシートにおいてマトリックス状に整列した各モジュールにおける前記天板を選択し机レイアウトワークシートを設定するステップと、
前記オフィス入居者が前記机レイアウトワークシートを判定してオフィスレイアウトパースを決定するステップと、
前記オフィスレイアウト業者が前記オフィスレイアウトパースに基づいて使用される机の製造を机製造者に発注するステップと、
前記オフィスレイアウト業者が前記オフィスレイアウトパースに基づいて机のレイアウトを前記オフィスのフロアに施工する施工業者に発注するステップと、
を備えていることを特徴とする机のレイアウト受発注方法。
【請求項８】
天板の長手方向に延在する中心線が１３５度に屈曲していることを特徴とする机。
【請求項９】
前記天板の両端辺が前記中心線にそれぞれ直交していることを特徴とする請求項８に記載の机。
【発明の詳細な説明】
【技術分野】
【０００１】
本発明は、机のレイアウト方法、机のレイアウトシステム、机のレイアウト受発注方法および机に関し、特に、多数台の机を大面積を有するオフィスのフロアに合理的にレイアウトするのに利用して有効なものに関する。
【背景技術】
【０００２】
従来のオフィスへの机のレイアウト方法は、オフィスでのワーカーの人数に合わせて、机やその他のオフィス家具をその都度レイアウトするやり方であるために、組織変更等に伴い人数の増減に対応する場合には、その都度、机のレイアウトを最初から変更する必要があるという問題点がある。
また、従来のオフィスへの机のレイアウト方法においては、オフィスの新築や移転等に際して、新築や移転するオフィス入居者（法人）の担当者が家具メーカーの営業マンやデザイナーおよび施工業者と何度も打合わせをしてレイアウトを決めて行く必要があるために、レイアウトが決定するまでに膨大な手間が浪費されるという問題点がある。
【０００３】
従来のこの種の机のレイアウト方法としては、床面を複数かつ均一の正方形に割当てて、この正方形の中に机や補助具を配置する机及び又は補助具の配置構造、がある（特許文献１参照）。
【特許文献１】特開２０００−２８７７５７号公報
【発明の開示】
【発明が解決しようとする課題】
【０００４】
しかしながら、前記した机及び又は補助具の配置構造においては、レイアウトが確一的になったり、机の形状によっては通路を確保することができなかったり、部署の人数の増減に対応してレイアウトを簡単に変更することが難しいという問題点がある。
【０００５】
本発明の第一の目的は、机のレイアウトを合理的かつ迅速に設定することができる机のレイアウト方法および机のレイアウトシステムを提供することにある。
本発明の第二の目的は、机のレイアウトの受発注を合理的かつ迅速に実施することができる革新的な机のレイアウト受発注方法を提供することにある。
本発明の第三の目的は、これらの机のレイアウト方法やシステム等に使用するのに好適な机を提供することにある。
【課題を解決するための手段】
【０００６】
本発明に係る机のレイアウト方法は、
一対の通路形成用線分が正方形の一方の対角にそれぞれ設定され、四枚の天板がこの両通路形成用線分同士を結ぶ対角線および他方の対角線にそれぞれ対称形に配置されたモジュールを設定するステップと、
複数の前記モジュールがオフィスのフロアに対応してマトリックス状に配列されたワークシートを設定するステップと、
前記ワークシートにおいてマトリックス状に整列した各モジュールにおける前記天板を選択するステップと、を備えていることを特徴とする。
本発明に係る机のレイアウト受発注方法は、
オフィスレイアウト業者がオフィス入居者からレイアウト対象平面図を受注するステップと、
前記オフィスレイアウト業者がレイアウト対象フロアを前記レイアウト対象平面図によって設定するステップと、
一対の通路形成用線分が正方形の一方の対角にそれぞれ設定され、四枚の天板がこの両通路形成用線分同士を結ぶ対角線および他方の対角線にそれぞれ対称形に配置されたモジュールを、前記オフィスレイアウト業者が設定するステップと、
複数の前記モジュールが前記レイアウト対象フロアにマトリックス状に配列されたワークシートを、前記オフィスレイアウト業者が設定するステップと、
前記オフィスレイアウト業者が前記ワークシートを前記オフィス入居者に送るステップと、
前記オフィス入居者および前記オフィスレイアウト業者が前記ワークシートをコンピュータのディスプレイにそれぞれ表示するステップと、
前記オフィス入居者および／または前記オフィスレイアウト業者が前記ディスプレイに表示されたワークシートにおいてマトリックス状に整列した各モジュールにおける前記天板を選択し机レイアウトワークシートを設定するステップと、
前記オフィス入居者が前記机レイアウトワークシートを判定してオフィスレイアウトパースを決定するステップと、
前記オフィスレイアウト業者が前記オフィスレイアウトパースに基づいて使用される机の製造を机製造者に発注するステップと、
前記オフィスレイアウト業者が前記オフィスレイアウトパースに基づいて机のレイアウトを前記オフィスのフロアに施工する施工業者に発注するステップと、を備えていることを特徴とする。
【発明の効果】
【０００７】
本発明に係る机のレイアウト方法によれば、複数のモジュール（単位や基準）をマトリックス（行列）乃至グリッド（格子）状に配列することにより、一方の対角線上で隣り合う一対のモジュールの通路形成用線分同士が画成する区画によって通路が形成されるために、隣り合うモジュールにおける天板を適宜に選択することにより、所望の通路を構成することができる。
また、他方の対角線上で隣り合う四つのモジュールの天板は着席空間を取り囲む状態になるために、これらの天板を七通りの配置パターン（図７参照）を考慮して選択することにより、着席空間を取り囲んだ机のレイアウトを構成することができる。この着席空間を取り囲んだ机のレイアウトは、着席者の連帯感を高めることができるので、同一の業務やプロジェクト等を執行するチームを構成するのに好適である。しかも、七通りのパターンを適宜に選択したり組み合わせたりすることにより、人数を自由に増減することができるので、チームの人数や編成の変更等に迅速かつ簡単に対処することができる。
つまり、本発明に係る机のレイアウト方法によれば、机のレイアウトを合理的かつ迅速に設定することができ、また、オフィスの担当者や実際に働くワーカーであっても部署単位で自由に設定することができる。
本発明に係る机のレイアウト受発注方法によれば、画期的なビジネスモデルを構築することができる。すなわち、本発明に係るオフィスレイアウト業者は、オフィス入居者からレイアウト対象平面図を受注することにより、机のレイアウトの設計から机の製造および実際のレイアウトの施工（机の設置）までを一括して受注することができる。
他方、オフィス入居者はオフィスレイアウト業者にレイアウト対象平面図を発注することにより、机のレイアウトの設計から机の製造および実際のレイアウトまでを合理的かつ迅速に実現することができる。しかも、オフィス入居者はレイアウトに関して自分の要望を充分に反映し、かつ、決定することができる。
机の製造業者（家具メーカー）は営業担当者がオフィス入居者と打ち合わせせずに必要な机だけを製造すれば済むため、在庫を低減することができる。また、机のレイアウト施工業者は営業担当者がオフィス入居者と打ち合わせせずに、オフィス入居者の要望に叶った机のレイアウトを施工することができ、しかも、必要な机は机の製造業者が準備しているので、机の購入リスクを負わずに済む。
【発明を実施するための最良の形態】
【０００８】
以下、本発明の一実施の形態を図面に即して説明する。
【０００９】
本実施の形態において、本発明に係る机のレイアウト方法には、図１に示された机が使用される。図１に示されているように、本実施の形態に係る机１０は、長手方向に延在する中心線が１３５度に屈曲しており、両端辺が中心線にそれぞれ直交する大略長方形の平盤形状の天板１１を備えている。すなわち、天板１１の厚さは一定に設定されており、長方形の長手方向に延在する中心線１２は１３５度に屈曲されている。天板１１の一方の長辺（以下、後辺という。）１３は「へ」字形状に形成されており、後辺１３の開き角度Θは１３５度に設定されている。後辺１３の一方の部分（以下、直線部という。）１３ａは、他方の部分（以下、屈曲部という。）１３ｂよりも長く設定されている。天板１１の他方の長辺（以下、前辺という。）１４は頂角が彎曲した「へ」字形状に形成されており、前辺１４の開き角度も１３５度に設定されている。前辺１４の一方の部分（以下、直線部という。）１４ａは、他方の部分（以下、屈曲部という。）１４ｂよりも長く設定されている。天板１１の一方の短辺（以下、直線部側短辺という。）１５は、後辺１３の直線部１３ａおよび前辺１４の直線部１４ａのいずれにも直交しており、天板１１の他方の短辺（以下、屈曲部側短辺という。）１６は、後辺１３の屈曲部１３ｂおよび前辺１４の屈曲部１４ｂのいずれにも直交している。すなわち、天板１１の両方の端辺である直線部側短辺１５と屈曲部側短辺１６とは、中心線１２にそれぞれ直交している。そして、屈曲部側短辺１６の延長線は直線部側短辺１５の延長線と４５度の開き角度をもって交差するようになっている。
【００１０】
天板１１は右後脚１７、中後脚１８、左後脚１９、左前脚２０および右前脚２１によって、水平に支持されている。右後脚１７と中後脚１８との間には右幕板２２が張られており、中後脚１８と左後脚１９との間には左幕板２３が張られている。右後脚１７と右前脚２１との間には右桟２４が架設されており、左後脚１９と左前脚２０との間には左桟２５が架設されている。天板１１は上面および下面のいずれもが表面として使用することができるように（所謂リバーシブルに）構成されており、左右対称形の机１０に兼用することができるように配慮されている。ここで、左右は机を着席者側から見た場合の方向を意味している。したがって、図１に示された机１０の天板１１においては、直線部側短辺１５が右辺となり、屈曲部側短辺１６が左辺になっている。しかし、図１に示された天板１１が裏返し（リバーシブル）に使用された机１０においては、直線部側短辺１５が左辺になり、屈曲部側短辺１６が右辺になる（図５に示された上側エリアＡ３に位置する天板１１および下側エリアＡ４に位置する天板１１を参照）。なお、天板１１の上面には天板１１をリバーシブルに使用するための締結穴が開設されており、図１（ａ）に示されているように、この締結穴はキャップ２６によって閉塞されている。
【００１１】
図２は本発明の一実施の形態である机のレイアウトシステムを示すブロック図であり、図３は本発明の一実施の形態である机のレイアウト方法を示すフローチャートである。図４以降は机のレイアウト方法の各ステップを説明するための説明図である。
【００１２】
以下、図２に示された机のレイアウトシステムによる図３に示された机のレイアウト方法を、前記構成に係る机（以下、１３５度天板付き机という。）が使用される場合について説明する。
【００１３】
図２に示された机のレイアウトシステム３０はソフトウエア（所謂アプリケーションソフトウエア）としてプログラミングされており、予め、オフィスレイアウト業者（図１３参照）の営業担当者やレイアウト担当者等（以下、オペレータという。）が管理するパーソナルコンピュータ等のハードウエア（以下、パソコンという。）にインストールされている。ちなみに、机のレイアウトシステム３０は通信回線によってユーザーのパソコンに適時に提供してもよいし、フレキシブルディスクやＣＤ−ＲＯＭ等の記録媒体に格納して、ユーザーに適時に提供してもよい。
【００１４】
図３に示されたレイアウト対象フロア設定ステップＳ１においては、図４に示されているようなレイアウト対象フロア平面図４０が、机のレイアウトシステム３０のレイアウト対象フロア設定部３１によって設定される。レイアウト対象フロア平面図４０は、例えば、オフィス入居者（図１３参照）の担当者（以下、入居者という。）からオフィスレイアウト業者のオペレータへ、図面（紙等のハード形態）や電子データ（ＣＡＤデータやイメージデータのソフト形態）によって提示される。提示されたレイアウト対象フロア平面図４０は机のレイアウトシステム３０のレイアウト対象フロア設定部３１へ、オペレータによってＣＡＤデータやイメージデータ等の電子データの形態で入力される。この際、レイアウト対象フロアの縦横の寸法値もレイアウト対象フロア設定部３１に入力される。机のレイアウトシステム３０に通信ソフトおよび通信制御装置（図示せず）が付帯されている場合には、レイアウト対象フロア平面図４０はレイアウト対象フロア設定部３１へ入居者によって通信回線を通じて入力することができる。
【００１５】
一方、モジュール設定ステップＳ２においては、図５に示されたモジュール（単位、基準）５０が、机のレイアウトシステム３０のモジュール設定部３２によって設定される。モジュール５０はモジュール設定部３２へオペレータによってＣＡＤデータやイメージデータの形態で入力される。図５に示されたモジュール５０は正方形枠線５１を備えており、正方形枠線５１の一方の対角には一対の通路形成用線分５２、５２がそれぞれ設定されている。正方形枠線５１内には図１に示された１３５度天板付き机１０の天板１１が四枚、一対の通路形成用線分５２、５２同士を結ぶ第一対角線５３および他方の第二対角線５４にそれぞれ対称形に配置されている。すなわち、第一対角線５３には四枚の天板１１における後辺１３の直線部１３ａがそれぞれ配置されており、第二対角線５４には四枚の天板１１における直線部側短辺１５がそれぞれ配置されている。図５のモジュール５０において、左側エリアＡ１に位置する天板１１および右側エリアＡ２に位置する天板１１は、図１に示された１３５度天板付き机１０の天板１１と同形であるが、上側エリアＡ３に位置する天板１１および下側エリアＡ４に位置する天板１１は、１３５度天板付き机１０の天板１１と左右対称形になる。したがって、１３５度天板付き机１０の天板１１を表裏がいずれも使用し得るように（リバーシブルに）構成することにより、モジュール５０の四つのエリアＡ１〜Ａ４にそれぞれ位置する左右対称形の１３５度天板付き机１０に同一の天板１１をもって全て対応することができる。なお、図５のモジュール５０には椅子５５、脇机５６およびパーティション５７がそれぞれ表示されている。
【００１６】
モジュール５０がモジュール設定部３２によって設定される際には、モジュール５０の正方形枠線５１の一辺の寸法値や天板１１の諸寸法値もモジュール設定部３２に入力される。この際、３２００〜３６００ｍｍの範囲で複数の規格の数値が設定される。
例えば、正方形枠線５１の一辺長Ｍを３３００ｍｍと設定した場合には、対角線長Ｌは、Ｌ＝Ｍ×√２により、約４６６７ｍｍになる。まず、天板１１の屈曲部１４ｂの長さｂを７５０ｍｍに設定すると、通路形成用線分５２の対角との間隔Ｄは、Ｄ＝ｂ×√２÷２により、約５３０ｍｍになる。したがって、隣り合う第一対角線５３、５３の通路形成用線分５２と５２とが形成する通路の幅Ｗは、Ｗ＝Ｄ×２により、約１０６０ｍｍになる。天板１１の直線部１４ａの長さａは、ａ＝Ｌ÷２−ｂ×√２により、約１２７２ｍｍになる。
また、正方形枠線５１の一辺長Ｍを３４００ｍｍと設定した場合には、対角線長Ｌは、Ｌ＝Ｍ×√２により、約４８０８ｍｍになる。まず、天板１１の屈曲部１４ｂの長さｂを８００ｍｍに設定すると、通路形成用線分５２の対角との間隔Ｄは、Ｄ＝ｂ×√２÷２により、約５６６ｍｍになる。したがって、隣り合う第一対角線５３、５３の通路形成用線分５２と５２とが形成する通路の幅Ｗは、Ｗ＝Ｄ×２により、約１１３２ｍｍになる。天板１１の直線部１４ａの長さａは、ａ＝Ｌ÷２−ｂ×√２により、約１２０２ｍｍになる。このように、天板１１の屈曲部１４ｂの長さｂを最初に設定すると、天板１１の長手方向寸法が定まるので、１３５度天板付き机の奥行き寸法や前辺の形状等に関する設計がし易くなる。
【００１７】
ワークシート設定ステップＳ３においては、図５に示されたモジュール５０が複数、図４に示されたレイアウト対象フロア平面図４０にマトリックス状（乃至は格子状）に配列されることにより、図６に示されたワークシート６０が設定される。ワークシート６０はワークシート設定部３３において、複数のモジュール５０がレイアウト対象フロア平面図４０にマトリックス状に配列されて行くことにより設定される。この際、ワークシート設定部３３においては、複数の大きさのモジュール５０がレイアウト対象フロア平面図４０にマトリックス状に順次に配列されることにより、最大個数のモジュール５０をレイアウト対象フロア平面図４０に配列することができるレイアウトが、自動的に設定される。例えば、図６に示された長方形のレイアウト対象フロア平面図４０の場合には、窓側の一方のコーナーをモジュール５０の配列の基準とすると、無駄のないレイアウトを設定することができる。
【００１８】
ワークシート表示ステップＳ４においては、図６に示されたワークシート６０がワークシート表示制御部３４の制御によって机のレイアウトシステム３０が接続されたディスプレイ（図示せず）に表示される。このワークシート６０は入居者が管理するパーソナルコンピュータのディスプレイ等にも、通信回線を使用して同時に表示してもよい。なお、このワークシート６０においては、椅子等の表示が省略されている。
【００１９】
選択ステップＳ５においては、ディスプレイに表示されたワークシート６０を見ながら、オペレータおよび／または入居者が着席総人数や部署（部や課、チーム、プロジェクト等）の配置およびその人数等の入居者の希望に対応したレイアウトに必要な机を順次に選択して行く。この選択ステップＳ５の実行に際しては、図７に示された七通りの１３５度天板付き机の配置パターンが考慮される。表示ステップＳ６においては、図８に示された机レイアウトワークシート７０のように、選択された天板１１が斜線や着色等によって表示される。選択ステップＳ５および表示ステップＳ６は、ＧＵＩ（graphical user interface）が組み込まれた選択表示制御部３５により、簡単かつ自動的に実行することができる。すなわち、表示されたワークシート６０上の所望の天板１１をマウス等によって指示することにより、簡単に実行することができる。
【００２０】
入居者の要望を最大限に反映するために、選択ステップＳ５は入居者とオペレータとが相談しながら対話形式で実行することが望ましい。この際、選択ステップＳ５および表示ステップＳ６を通信回線を通じて別々のパソコン上で実行することにより、選択ステップＳ５および表示ステップＳ６はオペレータと入居者とが同席しなくても対話形式で実行することができる（図１３を参照）。
【００２１】
机のレイアウトの選択表示が完了すると、補助具レイアウト設定ステップＳ７に進む。補助具レイアウト設定ステップＳ７においては、オペレータがディスプレイに表示された図８の机レイアウトワークシート７０を見ながら、各部署の位置や各部署に必要な備品およびそれらの配置を考慮して補助具を順次にレイアウトして行く。この補助具レイアウト設定ステップＳ７も補助具レイアウト設定部３６により選択ステップＳ５および表示ステップＳ６と同様に簡単かつ自動的に実行することができる。
【００２２】
補助具レイアウト設定ステップＳ７が完了すると、オペレータがレイアウト決定部３７にオフィスレイアウトパースの表示を命令する。この命令により、レイアウト決定部３７はレイアウト表示制御部３８によって、図９に示されたオフィスレイアウトパース８０をオペレータおよび入居者のパソコンのディスプレイ上にそれぞれ表示させる。オフィスレイアウトパース８０が表示されると、オフィスレイアウト決定ステップＳ９に進み、入居者の意思表示によりオフィスのレイアウトがレイアウト決定部３７において決定される。この決定は入居者とオペレータとの間で締結される机のレイアウト方法の実施契約に相当するので、この決定が入居者の意思表示によって実行されたことを認証し得るように、レイアウト決定部３７を構成することが望ましい。オフィスのレイアウトが決定されると、記録ステップＳ１０において、レイアウト決定部３７はメモリ３９に、オフィスレイアウトパース８０や机レイアウトワークシート７０およびワークシート６０等を記録する。
【００２３】
以上のようにして作成されたオフィスレイアウトパース８０がレイアウト対象フロアに実際に施工されるに際しては、ワークシート６０がレイアウト対象フロアに仮想的に表示される。例えば、ワークシート６０における各モジュール５０の交点を指示するマークが、レイアウト対象フロアの床面に粘着テープ等によってそれぞれ表示される。また、ワークシート６０における各モジュール５０の交点を指示するマークが、レイアウト対象フロアの天井面に反射板や反射テープ等によってそれぞれ表示される。マークを天井面に表示すると、レイアウト対象フロアの美観を損なわずにマークを永久的に残すことができる。このレイアウト対象フロアに表示されたワークシート６０のマークに倣って、１３５度天板付き机１０や補助具をオフィスレイアウトパース８０に従って配置して行くことにより、実際のオフィスのフロアへの１３５度天板付き机１０の設置を迅速かつ合理的に施工することができる。
【００２４】
その後、同一のレイアウト対象フロアについてレイアウト変更が要望された場合には、レイアウトシステム３０のメモリ３９に記録されたワークシート６０に基づいて、前述した机のレイアウト方法を選択ステップＳ５から実行することにより、例えば、図１０に示されているような合理的かつ所望のオフィスレイアウトパース８１を、迅速かつ簡単に、しかも、入居者自身であっても自由に設定することができる。この際、同一のレイアウト対象フロアに残されたワークシート６０のマークを使用することができる。
【００２５】
なお、本発明は前記実施の形態に限定されるものではなく、その要旨を逸脱しない範囲において、種々に変更が可能であることはいうまでもない。
【００２６】
例えば、図１１に示されているように、四つのモジュール５０のコーナーが突き合わさった部分は、四方が１３５度天板付き机１０によって閉ざされたデッドスペース９０になってしまうので、机のレイアウト方法の選択ステップの実行に際しては、デッドスペース９０の回避を配慮することが望ましい。但し、四方が閉ざされたデッドスペース９０であっても観葉植物や回転保管棚およびオブジェタワー等を設置することにより、活用することはできる。四方のうち一方でも開放していると、ワーカーの操作が必要なプリンターや複写機等の補助具であっても設置することができるので、より一層効果的に活用することができる。
【００２７】
１３５度天板付き机１０の天板１１の実際の寸法は、レイアウト対象フロアにマトリックス状に合理的に配列すべく設定されたモジュール５０の大きさや通路の寸法、ワーカーが要望する就業スペース等に対応して適宜に設定することが望ましい。
【００２８】
レイアウト対象フロア設定ステップＳ１とモジュール設定ステップＳ２との順序は問わない。
【００２９】
本発明に係る机のレイアウト方法は、前記実施の形態に係る机のレイアウトシステムを使用して実施するに限らない。例えば、ワークシートを紙面上に表示し、選択ステップをこの紙面上の天板に着色することにより、実行してもよい。
【００３０】
図１２は机のレイアウト受発注方法を示すフローチャートである。図１３はそれを使用したビジネスモデルを示す模式図である。なお、図１３において、破線矢印はデータの流れを示し、実線矢印はハードウエア（物品）の流れを示している。
【００３１】
本実施の形態に係る机のレイアウト受発注方法を実施する机のレイアウト受発注システム（図示せず）においては、図１３に示されているように、通信ソフトおよび通信制御装置が付帯されている。図１２に示されたレイアウト対象フロア設定ステップＳ１において、図１３に示されているように、レイアウト対象フロア平面図４０（図４参照）が入居者からオフィスレイアウト業者へ、電子データ（ＣＡＤデータやイメージデータのソフト形態）によって通信回線を通じて送信される。送信されたレイアウト対象フロア平面図４０は机のレイアウト受発注システムのレイアウト対象フロア設定部３１（図２参照）へ、電子データの形態で入力される。この際、レイアウト対象フロアの縦横の寸法値もレイアウト対象フロア設定部３１に入力される。
【００３２】
一方、モジュール設定ステップＳ２においては、モジュール５０（図５参照）が机のレイアウトシステム３０のモジュール設定部３２（図２参照）によって設定される。モジュール５０はモジュール設定部３２へオペレータによってＣＡＤデータやイメージデータの形態で入力される。モジュール５０がモジュール設定部３２によって設定される際には、モジュール５０の正方形枠線５１の一辺の寸法値や天板１１の諸寸法値もモジュール設定部３２に入力される。この際、３２００〜３６００ｍｍの範囲で複数の規格の数値が設定される。
【００３３】
ワークシート設定ステップＳ３においては、複数のモジュール５０がレイアウト対象フロア平面図４０にマトリックス状（乃至は格子状）に配列されることにより、ワークシート６０（図６参照）が設定される。この際、ワークシート設定部３３においては、複数の大きさのモジュール５０がレイアウト対象フロア平面図４０にマトリックス状に順次に配列されることにより、最大個数のモジュール５０をレイアウト対象フロア平面図４０に配列することができるレイアウトが、自動的に設定される。
【００３４】
ワークシート表示ステップＳ４においては、ワークシート６０がワークシート表示制御部３４（図２参照）の制御によってオペレータおよび入居者のパソコンのディスプレイに表示される。
【００３５】
選択ステップＳ５においては、ディスプレイに表示されたワークシート６０を見ながら、オペレータおよび／または入居者が着席総人数や部署（部や課、チーム、プロジェクト等）の配置およびその人数等の入居者の希望に対応したレイアウトに必要な机を順次に選択して行く。この選択ステップＳ５の実行に際しては、図７に示された七通りの１３５度天板付き机の配置パターンが考慮される。表示ステップＳ６においては、机レイアウトワークシート７０（図８参照）のように、選択された天板１１が斜線や着色等によって表示される。選択ステップＳ５および表示ステップＳ６はＧＵＩが組み込まれた選択表示制御部３５（図２参照）により、簡単かつ自動的に実行することができる。この際、図１３に示されているように、選択ステップＳ５および表示ステップＳ６を通信回線を通じて別々のパソコン上で実行することにより、選択ステップＳ５および表示ステップＳ６はオペレータと入居者とが同席しなくても対話形式で実行することができる。
【００３６】
机のレイアウトの選択表示が完了すると、補助具レイアウト設定ステップＳ７に進む。補助具レイアウト設定ステップＳ７においては、オペレータがディスプレイに表示された机レイアウトワークシート７０を見ながら、各部署の位置や各部署に必要な備品およびそれらの配置を考慮して補助具を順次にレイアウトして行く。この補助具レイアウト設定ステップＳ７も補助具レイアウト設定部３６（図２参照）により選択ステップＳ５および表示ステップＳ６と同様に簡単かつ自動的に実行することができる。
【００３７】
補助具レイアウト設定ステップＳ７が完了すると、オペレータがレイアウト決定部３７にオフィスレイアウトパース８０（図９参照）の表示を命令する。この命令により、レイアウト決定部３７はレイアウト表示制御部３８（図２参照）によって、オフィスレイアウトパース８０をオペレータおよび入居者のパソコンのディスプレイにそれぞれ表示させる。オフィスレイアウトパース８０が表示されると、オフィスレイアウト決定ステップＳ９に進み、入居者の意思表示によりオフィスのレイアウトがレイアウト決定部３７（図２参照）において決定される。この決定は入居者とオペレータとの間で締結される机のレイアウト受発注方法の実施契約に相当するので、この決定が入居者の意思表示によって実行されたことを認証し得るように、レイアウト決定部３７を構成することが望ましい。オフィスのレイアウトが決定されると、記録ステップＳ１０において、レイアウト決定部３７はメモリ３９に、オフィスレイアウトパース８０や机レイアウトワークシート７０およびワークシート６０等を記録する。
【００３８】
オフィスレイアウトパース８０が決定されると、オフィスレイアウト業者であるオペレータは机発注ステップＳ１１において、そのレイアウトに使用される机の仕様書を作成して、図１３に示されているように、机製造業者へ仕様書を送付して机の製造を発注する。この際、机製造の仕様書の送付は通信回線を通じて実行される。仕様書には、例えば、図１１に示された１３５度天板付き机１０の各部分の寸法や台数、図１１に示された１３５度天板付き机と左右対称形の机の各部分の寸法や台数が含まれる。
【００３９】
机製造業者は送付された仕様書に基づいて発注された机を製造し、図１３に示されているように、レイアウト施工業者に製造した机を納品する。この際、机製造業者は発注された机だけを製造すれば済むため、余分な在庫を削減することができ、コストを大幅に低減することができる。
【００４０】
また、オフィスレイアウトパース８０が決定されると、オフィスレイアウト業者であるオペレータは施工発注ステップＳ１２において、図１３に示されているように、レイアウト施工業者へオフィスレイアウトパース８０を通信回線を通じて送付して、レイアウト対象フロアへの机のレイアウトを発注する。
【００４１】
レイアウト施工業者は送付されたオフィスレイアウトパース８０に基づいて、机製造業者から納品された机を実際にレイアウト（設置）する。オフィスレイアウトパース８０をレイアウト対象フロアに実際に施工するに際しては、レイアウト施工業者はワークシート６０をレイアウト対象フロアに仮想的に表示する。例えば、ワークシート６０における各モジュール５０の交点を指示するマークを、レイアウト対象フロアの床面に粘着テープ等によってそれぞれ表示する。また、ワークシート６０における各モジュール５０の交点を指示するマークを、レイアウト対象フロアの天井面に反射板や反射テープ等によってそれぞれ表示する。マークを天井面に表示すると、レイアウト対象フロアの美観を損なわずにマークを永久的に残すことができる。このレイアウト対象フロアに表示されたワークシート６０のマークに倣って、１３５度天板付き机１０や補助具をオフィスレイアウトパース８０に従って配置して行くことにより、実際のオフィスのフロアへの１３５度天板付き机１０の設置を迅速かつ合理的に施工することができる。
【００４２】
その後、同一のレイアウト対象フロアについてレイアウト変更が要望された場合には、レイアウトシステムのメモリ３９に記録されたワークシート６０に基づいて、前述した選択ステップＳ５から実行することにより、迅速かつ簡単に、しかも、入居者自身であっても自由に設定することができる。この際、同一のレイアウト対象フロアに残されたワークシート６０のマークを使用することができる。
【００４３】
なお、補助具のレイアウトが決定されている場合には、補助具に関する製造の発注およびレイアウトの発注も同時に実行されることはいうまでもない。
【図面の簡単な説明】
【００４４】
【図１】本発明の一実施の形態である机を示しており、（ａ）は平面図、（ｂ）は正面図、（ｃ）は右側面図、（ｄ）は背面図、（ｅ）は左側面図である。
【図２】本発明の一実施の形態である机のレイアウトシステムを示すブロック図である。
【図３】本発明の一実施の形態である机のレイアウト方法を示すフローチャートである。
【図４】レイアウト対象フロアを示す平面図である。
【図５】モジュールを示す説明図である。
【図６】ワークシートを示す説明図である。
【図７】机の配置パターンのそれぞれを示す各説明図である。
【図８】机レイアウトワークシートを示す説明図である。
【図９】オフィスレイアウトチャートを示す説明図である。
【図１０】レイアウト変更後のオフィスレイアウトチャートを示す説明図である。
【図１１】デッドスペースを説明するための斜視図である。
【図１２】本発明の一実施の形態である机のレイアウト受発注方法を示すフローチャートである。
【図１３】それを使用したビジネスモデルを示す模式図である。
【符号の説明】
【００４５】
１…プラズマディスプレイ（ＦＰＤ）、１０…１３５度天板付き机（机）、１１…天板、１２…中心線、１３…後辺、１３ａ…直線部、１３ｂ…屈曲部、１４…前辺、１４ａ…直線部、１４ｂ…屈曲部、１５…直線部側短辺、１６…屈曲部側短辺、１７…右後脚、１８…中後脚、１９…左後脚、２０…左前脚、２１…右前脚、２２…右幕板、２３…左幕板、２４…右桟、２５…左桟、２６…キャップ、３０…机のレイアウトシステム、３１…レイアウト対象フロア設定部、３２…モジュール設定部、３３…ワークシート設定部、３４…ワークシート表示制御部、３５…選択表示制御部、３６…補助具レイアウト設定部、３７…レイアウト決定部、３８…レイアウト表示制御部、３９…メモリ、４０…レイアウト対象フロア平面図、５０…モジュール、５１…正方形枠線、５２…通路形成用線分、５３…第一対角線（通路形成用線分同士を結ぶ対角線）、５４…第二対角線（他方の対角線）、５５…椅子、５６…脇机、５７…パーティション、６０…ワークシート、７０…机レイアウトワークシート、８０、８１…オフィスレイアウトパース、９０…デッドスペース。
【図１】
2005152524.tif 000003
【図２】
2005152524.tif 000004
【図３】
2005152524.tif 000005
【図４】
2005152524.tif 000006
【図５】
2005152524.tif 000007
【図６】
2005152524.tif 000008
【図７】
2005152524.tif 000009
【図８】
2005152524.tif 000010
【図９】
2005152524.tif 000011
【図１０】
2005152524.tif 000012
【図１１】
2005152524.tif 000013
【図１２】
2005152524.tif 000014
【図１３】
2005152524.tif 000015